(57)【要約】【課題】光源の点灯・消灯に応じて、胴の表面のデザインが変化し、影絵のような演出効果を楽しむことの出来る楽器を提供する。【解決手段】振動膜２０を音響効果に利用する楽器において、前記振動膜２０は透光性のある素材で作られており、胴１０の内側に光源部３０を備え、前記振動膜２０の外部へ投射される光量を調整する透光調整部材が振動膜２０の内側または外側に設けられている。【選択図】図１
2020071467.tif 000002
【特許請求の範囲】
【請求項１】
振動膜２０を音響効果に利用する楽器において、
前記振動膜２０は透光性のある素材で作られており、
胴１０の内側に光源部３０を備え、
前記振動膜２０の外部へ投射される光量を調整する透光調整部材が
振動膜２０の内側または外側に設けられていることを特徴とする楽器。
【請求項２】
振動膜２０を音響効果に利用する楽器において、
前記振動膜２０は透光性のある素材で作られており、
胴１０の内側に光源部３０を備え、
振動膜２０の表面または裏面の少なくとも一方に
図柄・色彩・文字のうちの少なくとも１つが描画されていることを特徴とする楽器。
【請求項３】
振動膜２０を音響効果に利用する楽器において、
前記振動膜２０は透光性のある素材で作られており、
胴１０の内側に光源部３０を備え、
振動膜２０の表面または裏面の少なくとも一方に
凹凸（エンボス）が形成されていることを特徴とする楽器。
【請求項４】
前記透光調整部材には、
図柄・色彩・文字のうちの少なくとも１つが描画されていることを
特徴とする請求項１に記載の楽器。
【請求項５】
前記透光調整部材は、
前記胴１０の内部に可動出来る状態で付設されていることを
特徴とする請求項１または請求項４に記載の楽器。
【請求項６】
前記透光調整部材５０は、着脱自在に取り付けられていることを
特徴とする請求項１または請求項４乃至５のいずれか１項に記載の楽器。
【請求項７】
前記振動膜２０の表面または裏面の少なくとも一方に
前記振動膜２０の表面の色合いとほぼ同色で
図柄・色彩・文字のうちの少なくとも１つが描画されていることを
特徴とする請求項１乃至６のいずれか１項に記載の楽器。
【請求項８】
前記光源部３０に電力を供給するバッテリー９０を備えていることを
特徴とする請求項１乃至７のいずれか１項に記載の楽器。
【請求項９】
請求項１乃至８のいずれか１項における前記楽器は、
三味線、三線、胡弓、バンジョー、ゴッタン、ギター、ウクレレまたは太鼓であることを特徴とする楽器。
【発明の詳細な説明】
【技術分野】
【０００１】
本発明は、照明装置を有する楽器に関するものである。
【背景技術】
【０００２】
従来は、楽器の外側にＬＥＤ等の光源を装着して、楽器に照明効果・演出効果を持たせることがあった。
【発明の概要】
【発明が解決しようとする課題】
【０００３】
しかし、従来の楽器において、楽器の外側に光源が取り付けられている為、楽器を視覚的に楽しむ要素が少なく、光源によって演出できる領域が狭かった。
【課題を解決するための手段】
【０００４】
上記の課題を解決するために、振動膜２０を音響効果に利用する楽器にあって、前記振動膜２０は透光性のある素材で作られ、胴１０の内側に光源部３０を備え、前記振動膜２０の外部へ投射される光量を調整する透光調整部材が、振動膜２０の内側または外側に設けられている楽器を提供する。
【０００５】
または、振動膜２０は透光性のある素材で作られ、胴１０の内側に光源部３０を備え、振動膜２０の表面または裏面の少なくとも一方に
図柄・色彩・文字のうちの少なくとも１つが描画されている楽器を提供する。
【０００６】
あるいは、振動膜２０は透光性のある素材で作られ、胴１０の内側に光源部３０を備え、振動膜２０の表面または裏面の少なくとも一方に凹凸（エンボス）が形成されている楽器を提供する。
【０００７】
前記透光調整部材には、図柄・色彩・文字のうちの少なくとも１つが描画されていることが好ましい。
【０００８】
前記透光調整部材は、前記胴１０の内部に可動出来る状態で付設されていることが好ましい。
【０００９】
前記透光調整部材５０は、着脱自在に取り付けられていることが好ましい。
【００１０】
前記振動膜２０の表面または裏面の少なくとも一方に、前記振動膜２０の表面の色合いとほぼ同色で、図柄・色彩・文字のうちの少なくとも１つが描画されていることが好ましい。
【発明の効果】
【００１１】
消灯状態では目視できなかった装飾用の図柄や文字などが、点灯時に浮かび上がる機能を提供することが可能になり、光源によって演出できる領域を拡張させることが可能である。
換言すれば、楽器の胴の内部に光源を装着させており、光源の点灯・消灯に応じて、胴の表面のデザインが変化し、影絵のような演出効果を楽しむことが可能になる。
【図面の簡単な説明】
【００１２】
【図１】胴１０に透光調整部材を取り付ける前の状態を示す斜視図（楽器１００）
【図２】胴の内部構造等を示す概略図（楽器１００）
【図３】胴の内部構造等を示す概略図（楽器１００Ａ）
【図４】胴の内部構造等を示す概略図（楽器１００Ｂ）
【図５】シート状部材６０の一例を示す斜視図
【図６】シート状部材６０の他の一例を示す斜視図
【図７】胴の内部構造等を示す概略的な側面図（楽器１００Ｃ）
【図８】消灯時における平面図（楽器１００Ｃ）
【図９】点灯時における平面図（楽器１００Ｃ）
【発明を実施するための形態】
【００１３】
本発明で扱う楽器は、胴１０の上面にある振動膜２０を振動させることで、音を響かせる楽器である。例えば、三味線、三線、胡弓、バンジョー、ゴッタン、ギター、ウクレレ、太鼓などが該当する。
本発明における振動膜とは、三味線や胡弓では表皮または裏皮を指し示し、ゴッタンやギターで用いられる薄板の振動板までも含めた表現であり、膜の意味を広く解釈する。
【００１４】
本発明の楽器は、胴１０の内部に光源部３０を設けて、その光源部３０から投射される光が、振動膜２０を照らすことで、視覚的な演出をする機構を有している。
さらに、外部へ投射される光量を調整する透光調整部材を備えることで、光量を加減して、演出効果を高めることも可能である。
【００１５】
図１は楽器１００において胴１０に透光調整部材を取り付ける前の状態を示す斜視図であり、図２は胴１０の内部構造等を示す概略図である。胴１０を中心に作図しており、周辺部の一部を省略してある。
図で示すように、胴１０、振動膜２０、棹４０、中木４１、駒４５、糸８０などの基本構成を備える楽器（三味線）に、光源部３０、電力関連部材群、透光調整部材などを取り付けたものが、楽器１００である。
また、胴１０の上面に振動膜２０が張られており、固着された状態になっている。
【００１６】
光源部３０は、１つまたは複数の発光部３１を有する部材により構成される。光源としては、ＬＥＤ、蛍光灯、有機ＥＬ、白熱電球、レーザーなどが考えられるが、入手しやすいＬＥＤを用いた例を図示している。
ＬＥＤの場合には、発光部３１が点光源である為、線状に並べて配置することが出来る。
【００１７】
電力関連部材群は、バッテリー９０、ＤＣケーブル９１、連結部材９２、ＡＣアダプター９３、スイッチ９４、光源制御部９５などで構成される。ＡＣアダプター９３を電源コンセントに差し込んで、光源部３０に電力を提供する方法の他に、胴１０の内部にあるバッテリー９０を用いることで、移動性・携帯性を高めることも出来る。
また、光源の光量を調節して薄明かりにすることで常夜灯としても利用出来る。さらに、停電用のバッテリーを備えることで、非常灯としての利用も可能である。スイッチ９４により電力のＯＮ／ＯＦを切り替えることが出来る。光源制御部９５はプログラムに従って光量の加減や光色の変化を制御する回路を備えており、意匠性・演出性を高めることが出来る。
【００１８】
透光調整部材は、板状部材５０、シート状部材６０、反射部材７０の上位概念を示しており、光源部３０から投射された光の光量を調整することの出来る部材である。
図示しているように、板状部材５０（透光調整部材の一例）は、薄板形状であり、透光可能な素材（例えばアクリル板やガラス板など）で出来ている。板状部材５０に凹凸を設けて、透光性の違いによる起伏の変化を付けることが出来る。また、透光性の高い部分と透光性の低い部分がグラデーション状に変化することで、意匠性・演出性を高めることも可能である。
【００１９】
また、板状部材５０には、加工部５１が設けられている。加工部５１は、切り子などの切削加工や、曇りガラスのようにぼかし加工が施されている。この加工部５１によって、板状部材５０を通過する光を拡散させたり、板状部材５０を通過する光量を弱めることが出来る。
【００２０】
後述するシート状部材６０（透光調整部材の他の一例）は、略フラットな薄厚の部材であり、振動膜２０の裏側に貼り付けることが可能である。シート状部材６０に様々な模様を付けることで、照明的な演出をすることが出来る。また、振動膜２０の裏側に、文字や図柄のシールを貼り付けることも出来る。
【００２１】
胴１０の側面１１に糸孔１４が形成されており、この糸孔１４を介して、糸８０が胴１０の内部から外部へ現れる。図で示す楽器１００の形状は三味線としては特殊性を有しているが、本発明はこの楽器の形状に限定されるものではない。
糸８０と振動膜２０との間に、板状部材５０を載せることが出来る。糸８０が下方へ押圧する力を利用して、この板状部材５０を下方へ抑えることが可能であり、板状部材５０を安定的に配置することが出来る。
【００２２】
図３は、楽器１００Ａの胴１０の内部構造等を示す概略図である。
楽器１００Ａの胴１０の内部には、反射部材７０（透光調整部材の他の一例）が具備されている。反射部材の表面は、光を適度に反射する面を有している。この反射部材７０は、中木４１の外周に巻かれており、電動モーター９６から回転ベルト９７を経由して、回転する力が伝わる。そうすると、反射部材７０は、中木４１の外周を滑るように回転する。
この反射部材７０が回転することで、光源部３０から照射された光が胴１０の内部で拡散されてゆく。回転している間、光源部３０から照射された光が反射部材７０を通して様々に変化し続けてゆく。このようにすることで、楽器１００Ａの意匠性・演出性をより高めることが出来る。
【００２３】
図示していないが、弾力性を持つ棒状の形状である振動補助具の先端近傍に反射部材７０を取り付け、その振動補助具を胴１０の内部に固着させた機構を設けることも出来る。反射部材７０の形状は、ミラーボールのように略球状でも良く、薄板状の形状でも良い。演奏者の動きなどにより反射部材７０の位置エネルギーが変化し、反射部材７０が上下左右に動く機構を設けることも出来る。反射部材７０の動きにより、光源部３０が照射する光の演出を高めることが出来る。反射部材７０は１つ以上あれば良いが、複数個の反射部材７０が装着されていれば、意匠性・演出性をさらに高めることが出来る。
【００２４】
図４は、楽器１００Ｂの胴１０の内部構造等を示す概略図である。
ここでは従来の三味線を想定している。中木４１の突出部である中木先４２に、音緒８５が装着されており、音緒８５の先端部８６に糸８０が結ばれている。音緒８５がある三味線においても、本発明を適用することが出来る。
【００２５】
図５は、シート状部材６０の一例を示す斜視図である。
図示しているように、シート状部材６０の表面にメッセージ性のある文字６１が描画されている。シート状部材６０を振動膜２０の裏面に貼り付けることが出来る。
消灯時には、目視出来なかった文字が、点灯すると浮かび上がり、影絵的な演出することが可能である。
例えば、ホテル等でインテリアとして用いる場合に、顧客向けのメッセージを発信させることも出来る。
【００２６】
図６は、シート状部材６０の他の一例を示す斜視図である。図示しているように、シート状部材６０には貫通孔６２が設けられている。シート状部材６０を型紙のように扱い、切り抜くことで貫通孔６２を作ることも出来る。また、貫通孔に替えて、透光度の高い素材をこの部分に付けても良い。シート状部材６０を用いることで、光源によって演出できる領域を拡張させることが出来る。
【００２７】
図７は、楽器１００Ｃの胴１０の内部構造等を示す概略図であり、図８は、消灯時における平面図であり、図９は、点灯時における平面図である。
図で示すように、胴１０、振動膜２０などの基本構成を備える楽器（太鼓）に、光源部３０、電力関連部材群、透光調整部材などを取り付けたものが、楽器１００Ｃである。胴１０の内部に光源部３０が取り付けられている。
図示した例では、消灯時に見えなかった「祭」という文字が、点灯時に見えるようになり、変化を楽しむことが出来る。様々な方法で、光源によって演出できる領域を拡張させることが可能である。
【００２８】
振動膜２０は、白色や無地の状態である必要はなく、振動膜２０の表面に、図柄・色彩・文字が描画されている場合でも、本発明を適用することが出来る。
振動膜２０自体にエンボス加工されて、振動膜２０の表面または裏面に凹凸が形成されていることで、消灯状態では見えない図柄点灯時に変化を付けることも出来る。
透光の度合いの異なる複数の染料を用いて、振動膜２０の表面や裏面に描画することで、光源部３０が照射する光の演出を高めることが出来る。
【００２９】
図示していないが、透光調整部材を挿抜自在に差し込むことの出来る開口部を胴１０の側面１１に設けることで、複数の透光調整部材を差し替えて利用することが出来る。同時に複数の透光調整部材を用いることも出来る。
板状部材５０とシート状部材６０と反射部材７０とが複合的に組み合わさっていると、より一層、演出効果を高めることが出来る。
【００３０】
振動膜２０の裏面に白色系の染料で、図柄・色彩・文字等のデザインが描画されていると、消灯時には、そのデザインを視覚しづらくなる。そうすると、消灯時と点灯時の変化がより一層大きくなり、意匠性・演出性を高めることが出来る。
振動膜２０の裏面または表面の少なくとも一方において、振動膜２０の表面の色合いとほぼ同色で、図柄・色彩・文字等が描画されていると、前記と同様の効果を得ることが出来る。
また、振動膜２０の表面の色合いとほぼ同色の薄紙を振動膜２０の裏側に貼った場合も、同様の効果を得ることが出来る。
【符号の説明】
【００３１】
１０…胴
１１…側面
１２…底面
１３…サウンドホール
１４…糸孔
２０…振動膜（表皮／裏皮）
２１…文字
２２…図柄
３０…光源部
３１…発光部
４０…棹
４１…中木
４２…中木先
４５…駒  
５０…板状部材（透光調整部材）
５１…加工部
６０…シート状部材（透光調整部材）
６１…文字
６２…貫通孔
７０…反射部材（透光調整部材）
８０…糸
８５…音緒
８６…先端部
９０…バッテリー
９１…ＤＣケーブル
９２…連結部材
９３…ＡＣアダプター
９４…スイッチ
９５…光源制御部
９６…電動モーター
９７…回転ベルト
１００…楽器
９３…ＡＣアダプター
９４…スイッチ
９５…光源制御部
【図１】
2020071467.tif 000003
【図２】
2020071467.tif 000004
【図３】
2020071467.tif 000005
【図４】
2020071467.tif 000006
【図５】
2020071467.tif 000007
【図６】
2020071467.tif 000008
【図７】
2020071467.tif 000009
【図８】
2020071467.tif 000010
【図９】
2020071467.tif 000011